【事件の表示】
　特許第３０５９７２８号「セントラル換気設備」の請求項１ないし９に係る特許に対する特許異議の申立てについて、次のとおり決定する。
【結　論】
　特許第３０５９７２８号の請求項１ないし９に係る特許を取り消す。
【理　由】
１．手続の経緯
　本件特許３０５９７２８号のについての出願は、平成８年１０月９日に出願された特許出願の一部を平成１１年１０月２８日に新たな特許出願としたものであって、平成１２年４月２１日にそれら発明について特許の設定登録がなされ、平成１２年１２月２６日に松下精工株式会社より全請求項に係る発明の特許に対して特許異議の申立がなされるとともに、平成１２年１２月２７日に三菱電機株式会社より全請求項に係る発明の特許に対して特許異議の申立がなされ、そして、平成１３年９月１４日付けで取消理由通知がなされ、その指定期間内の平成１３年１１月２７日に訂正請求がなされた後、平成１４年６月１３日に第１回の口頭審理及び証拠調べがなされ、平成１４年８月７日に第２回の口頭審理がなされ、平成１４年８月２１日付で職権により行われた証拠調べの結果が通知され、平成１４年１２月２５日付けで期間を指定して訂正拒絶理由を兼ねて取消理由通知し、特許権者に意見を述べる機会を与えたが、その指定期間内に特許権者からは、何らの応答もない。
　
２．訂正の適否についての判断
　平成１３年１１月２７日付け訂正請求に対する訂正拒絶理由の概要は、同訂正請求による訂正は、訂正事項として、明細書の特許請求の範囲に「前記室内供給管は、前記換気ユニット本体と前記吹き出し口との間の部分が直線状あるいは緩やかな曲線状に延びるものとされ」なる事項を新たに記載するとともに、発明の詳細な説明の欄中に同趣旨の事項を記載することを含むものであるが、特許明細書には、配管が直線状であることは記載されておらず、さらに、配管が緩やかな曲線状であることも記載されず、「前記室内供給管は、前記換気ユニット本体と前記吹き出し口との間の部分が直線状あるいは緩やかな曲線状に延びるものとされ」なる事項が自明であるとも認められないから、同訂正は、願書に添付された明細書に記載された事項の範囲においてなされたものとは認められず、特許法第１２０条の４第３項において準用する特許法第１２６条第２項の規定に適合しないので、平成１３年１１月２７日付け訂正請求は認められないとするものであり、同理由は妥当なものと認められる。
　
　したがって、上記訂正は、特許法第１２０条の４第３項において準用する特許法第１２６条第２項の規定に適合しないので、平成１３年１１月２７日付け訂正請求は認められない。
　
３．　特許異議申立についての判断
　以下、上記取消理由の妥当性について検討する。
　
３−１　本件請求項１〜９に係る発明
　上記のとおり、特許権者が求めた訂正は認められないから、本件請求項１〜９に係る発明（以下、「本件第１発明」、「本件第２発明」、「本件第３発明」、「本件第４発明」、「本件第５発明」、「本件第６発明」、「本件第７発明」、「本件第８発明」、「本件第９発明」という。）は、特許明細書の請求項１〜９に記載された以下の事項により、それぞれ特定されるものである。　
【請求項１】複数の階層を有する建物において、当該建物の各階層毎に独立して設置された換気装置により、外気の取り入れと室内空気の排出とを行うようにしたセントラル換気設備であって、
　各階層に設けられた換気装置には、天井に開口する吸入口がそれ自身に直接設けられた換気ユニット本体と、この換気ユニット本体から供給される空気を室内へ吹き出す吹き出し口と、この吹き出し口と前記換気ユニット本体とを連結する室内供給管とを備え、
　かつ、平面視で、前記吹き出し口が前記建物の外周縁近傍に設けられ、前記吸入口が前記建物の内側部分に設けられていることを特徴とするセントラル換気設備。
【請求項２】請求項１に記載のセントラル換気設備において、前記換気ユニット本体と屋外空間とを接続する外部排気配管および外部吸入配管が設けられるとともに、前記換気ユニット本体と室内空間とを接続する室内供給配管が設けられ、前記室内供給配管は、前記外部排気配管および前記外部吸入配管よりも長いことを特徴とするセントラル換気設備。
【請求項３】請求項１または請求項２に記載のセントラル換気設備において、前記各階層には、複数の部屋が設けられ、これらの部屋は、当該階層に設けられた前記換気装置で換気が行われていることを特徴とするセントラル換気設備。
【請求項４】請求項１ないし請求項３のいずれかに記載のセントラル換気設備において、前記各階層に設けられる各換気装置は、当該階層に設けられた全ての部屋の換気を行うものとされていることを特徴とするセントラル換気設備。
【請求項５】請求項１ないし請求項４のいずれかに記載のセントラル換気設備において、前記換気ユニット本体と室内空間とを接続する室内供給配管は、前記換気ユニット本体から室内まで分岐せずに水平方向に延びていることを特徴とするセントラル換気設備。
【請求項６】請求項１ないし請求項５のいずれかに記載のセントラル換気設備において、平面視で前記各階層の中央部分には、前記本体が設けられ、この本体から当該階層の周縁部分に向かって前記管が延び、この管により屋外空間および前記本体、ならびに、室内空間および前記本体が相互に接続されていることを特徴とするセントラル換気設備。
【請求項７】請求項１ないし請求項６のいずれかに記載のセントラル換気設備において、前記本体と屋外空間とを連通する外部取入管および外部排気管が設けられ、これらの外部取入管および外部排気管が平行に延びていることを特徴とするセントラル換気設備。
【請求項８】請求項１ないし請求項７のいずれかに記載のセントラル換気設備において、前記管は、可撓性を有していることを特徴とするセントラル換気設備。
【請求項９】請求項１ないし請求項８のいずれかに記載のセントラル換気設備において、前記建物は、住宅であることを特徴とするセントラル換気設備。
　
３−２　引用文献
　平成１４年１２月２５日付け取消理由通知が引用する文献は、以下のものである。
１　「Ｎａｔｉｏｎａｌ　ナショナル設備機器　設置工事技術資料　気調システム　熱交換気冷暖房ユニット編　ヒートポンプ（２分岐式）」（以下、「引用文献1」という）」第２、９、２０頁
　
２　「三菱ロスナイ換気空調システム（天井埋込形）技術マニュアル■ＶＬ−９０５ＨＣＲ〔冷暖房ユニット〕」，三菱電機株式会社，’９５年４月作成　第２，４、９、１０，１８頁（以下、「引用文献２」という）
　
　なお、引用文献１は、証人三浦孝之の証言及び特許異議申立人松下精工株式会社の提出した
参考資料１　「Ｎａｔｉｏｎａｌ／Ｐａｎａｓｏｎｉｃ技術研修コースご案内　１９９６年４月〜１９９７年３月　株式会社松下流通研修所　技術研修センター主催」
参考資料２　「ＡＦ３Ａ　コース運営手順書」
参考資料３　「基本カリキュラム　コース名　高気密・高断熱住宅の気調システム記号（ＡＦ３Ａ）」
参考資料４　「高気密・高断熱住宅の気調システム（ＡＦ３Ａ）コースカリキュラム」
参考資料５　「【受講者名簿】研修名ＡＦ３Ａ　高気密・高断熱住宅の気調システム（平成８年６月１８日〜２０日開催）」
参考資料６　「【受講者名簿】研修名ＡＦ３Ａ　高気密・高断熱住宅の気調システム（平成８年４月２３日〜２５日開催）」
参考資料７　「【受講者名簿】研修名ＡＦ３Ａ　高気密・高断熱住宅の気調システム（平成８年７月９日〜１１日開催）」
参考資料８　「【受講者名簿】研修名ＡＦ３Ａ　高気密・高断熱住宅の気調システム（平成７年１１月８日〜１０日開催）」
参考資料９　「【受講者名簿】研修名ＡＦ３Ａ　高気密・高断熱住宅の気調システム（平成８年２月１４日〜１６日開催）」
を参酌すれば、本件に係る出願の出願前に頒布されたものと認められる。
　また、　引用文献２は、それを日産住設株式会社が閲覧に供したか否かは定かではないものの、証人野田智也の証言及び異議申立人三菱電機株式会社が提出した「中電来客予定表、並びに、「三菱ロスナイ換気空調システム（天井埋込形）技術マニュアル■ＶＬ−９０５ＨＣＲ〔冷暖房ユニット〕」自体の「１９９５年４月作成」との記載からみて、本件に係る出願の出願前に頒布されたものと認める。
　
３−３　引用文献に記載された発明
　引用文献１には、
「本システムは、冷暖房機能組込みの熱交換気ユニット（２台）を天井裏に設置し、熱回収した新鮮空気と冷温風をダクトで搬送、建物全体をセントラル方式で換気及び冷暖房を行うシステムです。常時換気が大切な高気密、高断熱住宅を前提としているために、冷房・暖房・ドライ運転中に運転を停止しても換気運転を行います。」（第２頁）、
「・２階建住宅の場合　１階ゾーンと２階ゾーンに分けます。１階床面積より２階床面積が小さい時でも、同様です。」（第２５頁）、「集中リターン方式　・各居室からのＲＡダクトが不要のため、ダクト材料費、施工費を低減することができます。・家全体に大きな空気の流れを作り、居室と廊下などの非居住空間との温度差を少なくできます。」（第２７頁）、「・室内ユニットの設置場所としては廊下や脱衣所、洗面所、納戸、２階の階段のおどり場、台所などの天井内や小屋裏が適当です。」（第２９頁）、
「■吹出口設置位置決定　吹出口は室内ユニット１台あたり３つ以上設けてください。……………・基本的に天井面、または壁面の上部で、窓の近くや出入口から遠い部屋の角、カーテンやタンス、置物などで吹出空気を妨げる心配のない所に設置してください。（第３２頁）、
「■吸込口設置位置決定……………・室内の吸込口は一般的に洗面所、脱衣所、廊下、などに設置してください。……………・基本的に吹出口から離れて、ショートサーキットせず、居室全体に風の流れができるように計画し、吸込口を設けましょう。（プラン図参照）……………・吸込口の設置位置については、天井面だけではなく」（第３４頁）、
「■給・排気口の設置位置……………・給・排気口の外壁面にはパイプフードを取付けますので、外観を損なわない位置を選んで取付けてください。」（第３６頁）
と記載されている。
　また、第９頁には、「室内ユニット【FY-Z28DB1K・FY-Z32DB1K】」の図面とともに、符合１が熱交換素子、符合３がＲＡ（室内吸込口）、符合５が排気専用ＲＡ、φ１００ダクト、符合６がＥＡ（室内吹出口）、φ１００ダクト、符合７がＯＡ（室外吸込口）、φ１００ダクト、符合８が換気用送風機１、符合９が換気用送風機２、符合１７がＳＡ（室内吹出口）、φ１００ダクトであることが示されている。
　また、第２０頁には、「設計図モデルプラン１（２階建の場合）」として１階平面図、２階平面図が示されており、１階平面図には、１階に設けた室内ユニットからの空気をダクトを介して、台所、ダイニング、和室のそれぞれに吹出す吹出口を建物の外周縁近傍に設けたものが示され、２階平面図には、２階に設けた室内ユニットからの空気をダクトを介して、洋室１、洋室２、洋室３（主寝室）、納戸にそれぞれ吹出す吹出口を建物の外周縁近傍に設けたものが示されている。
　さらに、第２頁には、「システムの概要」として、熱交換気冷暖房ユニット・ヒ−トポンプ（２分岐）式を有する２階建住宅としての建物が示されている。
　そうすると、引用文献１には、上記摘示した事項及び図からみて、
(a) 上下の階層を有する２階建住宅としての建物であること、
(b) 建物の各階層の天井部分に階層毎に独立して設置される冷房、暖房、ドライの機能を組込んだ室内ユニット、ダクト及び吹出口等によりセントラル換気設備が構成され、該セントラル換気設備により、外部の空気を室内に取り入れるとともに、室内の空気を外部に排出して各階層を換気すること、
(c) 室内ユニットには、排気用ＲＡ、φ１００ダクトを介して吸込口が設けられ、また各階層には、複数の室内吹出口が設けられていること、
(d) 建物の各階層は、各階層の室内吹出口から外部の空気が吹き出され、かつ、セントラル換気設備の吸込口から吸い込まれる空気によって換気されること、
(e) 平面視で、室内吹出口が建物の外周縁近傍に設けられ、吸込口が建物の内側部分に設けられていること、
(f) 室内ユニットと屋外とを接続する、ＯＡ（室外吸込口）φ１００ダクトとＥＡ（室内吹出口）φ１００ダクトを備えていること、
(g) 室内ユニットと室内側とを接続する、ＳＡ（室内吹出口）、φ１００ダクトを備えていること、
(h) 建物の各階層には、複数の部屋が設けられ、当該階層に設けられた全ての部屋が当該階層に設けられたセントラル換気設備により換気が行われること、
(i) 室内ユニットと室内空間を接続するＳＡ（室内吹出口）、φ１００ダクトは、室内ユニットから室内まで分岐せずに延びる構成を有すること、
(j) 平面視で、各階層の中央部分に相当する個所又はその近傍に室内ユニットが設けられ、この室内ユニットから当該階層の周縁部分に向かってダクトが延び、このダクトにより屋外空間及び室内ユニット、ならびに室内空間及び室内ユニットが接続されていること、
(k) ＳＡ（室内吹出口）、φ１００ダクトは、ＯＡ（室外吸込口）φ１００ダクト及びＥＡ（室内吹出口）φ１００ダクトよりも長いこと、
(l) ＯＡ（室外吸込口）φ１００ダクト及びＥＡ（室内吹出口）φ１００ダクトは平行に延びていること、
(m) 上記ダクトが断熱フレキダクトを使用することを前提に説明されており、該断熱フレキダクトはフレキシブルではあるが適度な強さを持っていること、
(n) 建物が一戸建ての住宅であること、
が記載されるものと認める。
　　
　引用文献２には、第４頁に「３．各部の名称」として上記システムの機器の名称が図とともに記載され、また、同頁の「４．標準設置例」として、設置図が記載され、さらに、その第９頁の「１．ロスナイ換気冷暖房ユニット（ＶＬ−905ＨＣＲ）の項において、「据付場所の選定」に関し、「推奨する場所」として、「・洗面所の天井裏。・ユ−ティリティの天井裏。・１階廊下の天井裏。」が記載されており、また、その第１０頁の「２．ダクト配管」の項において、「１階・２階共に吹出グリルは、天井吹出しを基本としてください。」と記載され、さらに同項に「空気の流れ」の図とともに、「また、ＲＡ還気（排気用）ダクトを設けずに、ユニットの下面からＲＡ還気（排気用）を取り込むことも可能です。」と記載され、また、同項に「ダクト配管の目安」として、「〔ＳＡ給気ダクト〕」、「〔ＲＡ還気（排気用）ダクト〕」、「〔ＯＡ外気・ＥＡ排気ダクト〕」が記載されている。
　さらに、第１８頁に「ＲＡ排気ダクトを接続しない場合
（１）本体内部の仕切板を外し、仕切板にネジ止めしてあるカバーを外します。
（２）ダクト接続口を外します。
（３）カバーをダクト接続口を外した穴に取り付けます。」と記載されている。
　そうすると、引用文献２には、上記摘示した事項及び図からみて、
(a) 建物の天井部分に設置されたロスナイ換気冷暖房ユニット、ダクト、吹出口等によりセントラル換気設備が構成され、該セントラル換気設備により、外部の空気を室内に取り入れるとともに、室内の空気を排出して該階層（該階層全体）を換気すること、
(b) 室内の空気を吸い込ませるＲＡ還気（排気用）をＲＡ還気（排気用）ダクトを設けず、ロスナイ換気冷暖房ユニットの下面から取り込んでもよいこと、
(c) 各階層には、複数の吹出口が設けられていること、
(d) 建物の各階層は、吹出口から吹き出され、かつ、セントラル換気設備により吸い込まれる空気によって換気されること、
(e) ＳＡ給気の給気グリルが建物の外周縁近傍に設けられ、ＲＡ還気（排気用）の吸込口（排気グリル）が建物の内側部分に設けられていること、
(f) ロスナイ換気冷暖房ユニットと屋外とを接続するＯＡ外気ダクトと、ＥＡ排気ダクトを備えていること、
(g) 該ＯＡ外気ダクト及びＥＡ排気ダクトが平行に延びていること、
(h) ロスナイ換気冷暖房ユニットと室内側とを接続するＳＡ給気ダクトを備えていること、
(i) ＳＡ給気ダクトは、ＯＡ外気ダクト及びＥＡ排気ダクトよりも長いこと、
(j) 建物の階層には、複数の部屋が設けられ、当該階層に設けられた全ての部屋が当該階層に設けられたセントラル換気設備により換気が行われるようにされていること、
(k) 建物が戸建ての２階建住宅であること、
が記載さるものと認める。
　
３−４　本件第１発明について
（１）対比
　引用文献１には、上記摘示した事項からみて、「上下に階層を有する２階建て住宅としての建物において、建物の各階層の天井部分に独立して設置された換気装置により、外部の新鮮な空気を取り入れるとともに、室内の空気を排出して該階層全体を換気するようにしたセントラル換気設備であって、セントラル換気設備は、吸込口を設けた冷房、暖房、ドライ機能を組込んだ室内ユニットと、複数の吹出口とを含んで構成され、建物の各階層は、各階層の室内吹出口から吹き出され、かつ、室内ユニットの吸込口から吸い込まれる空気によって換気され、平面視で、吹出口が建物の外周縁近傍に設けられ、吸入口が建物の内側部分に設けられているセントラル換気設備」が記載されている。
　そこで、本件第１発明と引用文献１記載の発明とを対比すると、引用文献１に記載の「上下に階層を有する２階建て住宅としての建物」、「室内ユニット」、「吹出口」、「吸込口」は、その機能に照らし、本件第１発明の「複数の階層を有する建物」、「換気ユニット本体」、「吹き出し口」、「吸入口」にそれぞれ相当する。
　してみると、上記両発明は、
「複数の階層を有する建物において、当該建物の各階層毎に独立して設置された換気装置により、外気の取り入れと室内空気の排出とを行うようにしたセントラル換気設備であって、各階層に設けられた換気装置には、天井に開口する吸入口が設けられた換気ユニット本体と、この換気ユニット本体から供給される空気を室内へ吹き出す吹き出し口と、この吹き出し口と前記換気ユニット本体とを連結する室内供給管とを備え、かつ、平面視で、前記吹き出し口が前記建物の外周縁近傍に設けられ、前記吸入口が前記建物の内側部分に設けられているセントラル換気設備」
の点で一致し、次の点で相違している。
（イ）セントラル換気設備が、本件第１発明では、換気専用のものであるのに対し、引用文献１記載のものでは、冷房、暖房、ドライの機能を組込んだものである点。
（ロ）吸入口が、本件第１発明では、換気ユニット本体自身に直接設けられているのに対し、引用文献１記載のものでは、排気用ＲＡ、φ１００ダクトを介して換気ユニット本体に接続されている点。
　　
（２）判断
　上記相違点について検討する。
・相違点（イ）について
　セントラル換気装置を換気専用のものとして設けることは従来周知であり（例えば、特開平２−２８２６４２号公報、特開平８−１７８３８６号公報　参照）、引用文献１に記載の冷房、暖房、ドライの機能を組込んだセントラル換気設備にかえて、該セントラル換気設備を従来周知のように換気専用のものとして構成することは、当業者が必要に応じ適宜なし得たものにすぎない。
・相違点（ロ）について
　引用文献２には、上記摘示した事項からみて、建物に設置された換気ユニット本体（引用文献２における「ロスナイ換気冷暖房ユニット」、以下同様）により、該建物のフロアを換気するようにしたセントラル換気設備（同「ロスナイ換気空調システム」）であって、換気ユニット本体は、フロアの天井の裏側に設けられ、換気ユニット本体により供給される空気を室内へ吹き出す吹き出し口（給気グリル）が天井面に複数設けられたセントラル換気設備において、換気ユニット本体に吸い込まれる空気をＲＡ還気（排気用）ダクトを設けず、換気ユニット本体の下面から取り込むようにした点が記載されている。そして、引用文献２記載のものにおいて、換気ユニット本体に吸い込まれる空気をＲＡ還気（排気用）ダクトを設けず、換気ユニット本体の下面から取り込むようにした場合、換気ユニット本体の下面に空気を取り込む吸込口が換気ユニット本体自身に直接設けられることになることは当業者にとって自明のことであり、引用文献２には、吸入口が換気ユニット本体自身に直接設けられている点が記載されているといえる。
　そして、引用文献１及び引用文献２に記載のものは、ともにセントラル換気設備という共通の技術分野に属することから、引用文献１に記載のセントラル換気設備に引用文献２記載の技術を適用し、吸入口を換気ユニット本体自身に直接設けること、すなわち相違点（ロ）における本件第１発明の構成とすることは当業者が容易に想到し得たことである。
　そして、本件第１発明が奏する作用、効果は、引用文献１及び引用文献２の記載、並びに上記周知の事項から容易に予測できるものであって、本件第１発明が格別の作用、効果を奏するものとも認められない。
　したがって、本件第１発明は、引用文献１及び引用文献２記載の発明、並びに上記周知の事項に基づいて当業者が容易に発明をすることができたものである。
　　
３−５　本件第２発明について
　本件第２発明は、本件第１発明について、「前記換気ユニット本体と屋外空間とを接続する外部排気配管および外部吸入配管が設けられるとともに、前記換気ユニット本体と室内空間とを接続する室内供給配管が設けられ、前記室内供給配管は、前記外部排気配管および前記外部吸入配管よりも長い」ことを限定するものである。
　しかしながら、引用文献１には、上記したように、室内ユニットと屋外とを接続するＯＡ（室外吸込口）φ１００ダクト及びＥＡ（室内吹出口）φ１００ダクトを設けるとともに、室内ユニットと室内側とを接続するＳＡ（室内吹出口）φ１００ダクトを設け、ＳＡ（室内吹出口）φ１００ダクトは、ＯＡ（室外吸込口）φ１００ダクト及びＥＡ（室内吹出口）φ１００ダクトよりも長いこと、すなわち、本件第２発明で限定した上記構成が記載されている。
　したがって、本件第２発明は、本件第１発明と同様、引用文献１及び引用文献２記載の発明、並びに上記周知の事項に基づいて当業者が容易に発明をすることができたものである。
　　
３−６　本件第３発明について
　本件第３発明は、本件第１発明又は本件第２発明について、「前記各階層には、複数の部屋が設けられ、これらの部屋は、当該階層に設けられた前記換気装置で換気が行われている」ことを限定するものである。
　しかしながら、本件第３発明で限定した上記の点は、引用文献１に記載されている。
　したがつて、本件第３発明は、本件第１発明又は本件第２発明と同様、引用文献１及び引用文献２記載の発明、並びに上記周知の事項に基づいて当業者が容易に発明をすることができたものである。
　　
３−７　本件第４発明について
　本件第４発明は、本件第１〜３発明について、「前記各階層に設けられる各換気装置は、当該階層に設けられた全ての部屋の換気を行うものとされている」ことを限定するものである。
　しかしながら、本件第４発明で限定した上記の点は、引用文献１に記載されている。
　したがつて、本件第４発明は、本件第１〜３発明と同様、引用文献１及び引用文献２記載の発明、並びに上記周知の事項に基づいて当業者が容易に発明をすることができたものである。
　　
３−８　本件第５発明について
　本件第５発明は、本件第１〜４発明について、「前記換気ユニット本体と室内空間とを接続する室内供給配管は、前記換気ユニット本体から室内まで分岐せずに水平方向に延びている」ことを限定するものである。
　しかしながら、引用文献１には、室内ユニット（「換気ユニット本体」に相当）と室内空間を接続するＳＡ（室内吹出口）φ１００ダクトは、室内ユニット（「換気ユニット本体」に相当）から室内まで分岐せずに延びる構成を有することが記載され、また引用文献１記載のＳＡ（室内吹出口）φ１００ダクトは、天井面に、しかも該天井面に沿うように設けられており、該ダクトは、水平方向又は略水平方向に延びて設けられているものと認められる。したがって、上記本件第５発明において限定した点は、引用文献１の記載から容易に想到し得たものである。
　したがつて、本件第５発明は、本件第１〜４発明と同様、引用文献１及び引用文献２記載の発明、並びに上記周知の事項に基づいて当業者が容易に発明をすることができたものである。
　　
３−９　本件第６発明について
　本件第６発明は、本件第１〜５発明について、「平面視で前記各階層の中央部分には、前記本体が設けられ、この本体から当該階層の周縁部分に向かって前記管が延び、この管により屋外空間および前記本体、ならびに、室内空間および前記本体が相互に接続されている」ことを限定するものである。
　そして、引用文献１には、「換気ユニット本体から当該階層の周縁部分に向かってダクト（管）が延び、このダクト（管）により屋外空間および前記本体、ならびに、室内空間および前記本体が相互に接続されている」構成が記載されている。ただ、引用文献１記載のものにおいて、室内ユニット（換気ユニット本体）が、平面視で各階層の中央部分に設けられているといい得るかどうか明確でない。しかしながら、室内ユニット（換気ユニット本体）を平面視でどの位置に配置するかは、配管の長さ、取付け易さ等を考慮して当業者が適宜決定し得る設計上の事項にすぎないものと認められる。したがって、引用文献１の記載において、室内ユニット（換気ユニット本体）を、平面視で各階層の中央部分に設ける程度のことは当業者が容易に想到し得ることである。
　したがつて、本件第６発明は、本件第１〜５発明と同様、引用文献１及び引用文献２記載の発明、並びに上記周知の事項に基づいて当業者が容易に発明をすることができたものである。
　　
３−１０　本件第７発明について
　本件第７発明は、本件第１〜６発明について、「前記本体と屋外空間とを連通する外部取入管および外部排気管が設けられ、これらの外部取入管および外部排気管が平行に延びている」ことを限定するものである。
　しかしながら、本件第７発明で限定した上記の点は、引用文献１に記載されている。
　したがつて、本件第７発明は、本件第１〜６発明と同様、引用文献１及び引用文献２記載の発明、並びに上記周知の事項に基づいて当業者が容易に発明をすることができたものである。
　　
３−１１　本件第８発明について
　本件第８発明は、本件第１〜７発明について、「前記管は、可撓性を有している」ことを限定するものである。
　しかしながら、引用文献１には、管状のフレキシブルダクトを用いること、すなわち、本件第８発明で限定した上記構成が記載されている。
　したがつて、本件第８発明は、本件第１〜７発明と同様、引用文献１及び引用文献２記載の発明、並びに上記周知の事項に基づいて当業者が容易に発明をすることができたものである。
　　
３−１２　本件第９発明について
　本件第９発明は、本件第１〜８発明について、「前記建物は、住宅である」ことを限定するものである。
　しかしながら、引用文献１には、上記摘示したように、「建物が２階建住宅である」ことが記載されている。
　したがつて、本件第９発明は、本件第１〜８発明と同様、引用文献１及び引用文献２記載の発明、並びに上記周知の事項に基づいて当業者が容易に発明をすることができたものである。
　　
４．　むすび
　以上のとおり、本件第１〜９発明は、いずれも引用文献１及び引用文献２記載の発明、並びに上記周知の事項に基づいて当業者が容易に発明をすることができたものであるから、それら発明についての特許は、特許法第２９条第２項の規定に違反してなされたものであり、特許法第１１３条第２号の規定により取り消すべきものである。
　よって、結論のとおり決定する。
【異議決定日】
平成１５年４月１８日（２００３．４．１８）